【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
下記一般式（１）で表わされる構造を有する色素化合物。
【化１】
2009286869.tif 000001
［一般式（１）中、Ｒ１、Ｒ２は各々独立してアミノ基、もしくはヒドロキシル基を表わす。Ａ１はＮ、もしくはＣＲ４を表わす。Ｒ４はＲ３と共に芳香環を形成する。Ａ１がＮのとき、Ｒ３はハメットの置換基定数が負の値を示す置換基を表わす。Ｃｙは芳香環を表わす。更に、一般式（１）は少なくとも１つの陰イオン性基をもつ。］
【請求項２】
前記一般式（１）中のＲ１がヒドロキシル基であり、Ｒ２がアミノ基である請求項１に記載の色素化合物。
【請求項３】
前記一般式（１）中のＡ１がＮであり、Ｒ３がアミノ基である請求項１又は２に記載の色素化合物。
【請求項４】
前記一般式（１）中のＲ１、Ｒ２がいずれもヒドロキシル基である請求項１に記載の色素化合物。
【請求項５】
前記一般式（１）中の陰イオン性基がカルボン酸基、もしくはスルホン酸基である請求項１乃至４のいずれか１項に記載の色素化合物。
【請求項６】
前記Ｒ４とＲ３が共に形成する芳香環がスルホン酸基を有する芳香環である請求項１、２、４、５のいずれか１項に記載の色素化合物。
【請求項７】
前記一般式（１）中のＣｙがカルボン酸基、もしくはスルホン酸基が置換している芳香環である請求項１乃至６のいずれか１項に記載の色素化合物。
【請求項８】
前記一般式（１）中のＣｙがアゾ基の隣接位にカルボン酸基、もしくはスルホン酸基をもつ芳香環である請求項１乃至７のいずれか１項に記載の色素化合物。
【請求項９】
前記一般式（１）中のＣｙが含窒素芳香族複素環であることを特徴とする請求項１乃至７のいずれか１項に記載の色素化合物。
【請求項１０】
前記一般式（１）中のＣｙが含窒素芳香族５員複素環であることを特徴とする請求項１乃至７のいずれか１項に記載の色素化合物。
【請求項１１】
水性媒体及び色素化合物を含有するインクであって、該色素化合物が、請求項１乃至１０のいずれか１項に記載の色素化合物であることを特徴とするインク。
【請求項１２】
インクジェット用である請求項１１に記載のインク。
【手続補正２】
【補正対象書類名】明細書
【補正対象項目名】０００９
【補正方法】変更
【補正の内容】
【０００９】
［一般式（１）中、Ｒ１、Ｒ２は各々独立してアミノ基、もしくはヒドロキシル基を表わす。Ａ１はＮ、もしくはＣＲ４を表わす。Ｒ４はＲ３と共に芳香環を形成する。Ａ１がＮのとき、Ｒ３はハメットの置換基定数が負の値を示す置換基を表わす。Ｃｙは芳香環を表わす。更に、一般式（１）は少なくとも１つの陰イオン性基をもつ。］
【手続補正３】
【補正対象書類名】明細書
【補正対象項目名】００１４
【補正方法】変更
【補正の内容】
【００１４】
［一般式（１）中、Ｒ１、Ｒ２は各々独立してアミノ基、もしくはヒドロキシル基を表わす。Ａ１はＮ、もしくはＣＲ４を表わす。Ｒ４はＲ３と共に芳香環を形成する。Ａ１がＮのとき、Ｒ３はハメットの置換基定数が負の値を示す置換基を表わす。Ｃｙは芳香環を表わす。更に、一般式（１）は少なくとも１つの陰イオン性基をもつ。］
一般式（１）で表わされる構造を有する色素化合物について詳述する。
【手続補正４】
【補正対象書類名】明細書
【補正対象項目名】００１５
【補正方法】変更
【補正の内容】
【００１５】
一般式（１）中のＲ１、Ｒ２は各々独立してアミノ基、もしくはヒドロキシル基を表わす。特に、Ｒ１、Ｒ２がいずれもヒドロキシル基であるか、Ｒ１がヒドロキシル基、Ｒ２がアミノ基であることが、合成の容易性の点で好ましい。該アミノ基は置換基を有しても良く、該置換基としては、本発明の色素化合物の水溶性や保存安定性を著しく阻害するものでなければ特に限定されるものではない。例えば、メチル基、エチル基、ｎ−プロピル基、イソプロピル基、ｎ−ブチル基、イソブチル基、ｓｅｃ−ブチル基、ｔｅｒｔ−ブチル基等のアルキル基、フェニル基、ナフチル基等のアリール基、ベンジル基、フェネチル基等のアラルキル基、アセチル基、ベンゾイル基等のアシル基、メシル基、ｐ−トルエンスルホニル基、カルバモイル基、スルファモイル基、トリアジニル基、ベンゾチアゾリル基等の置換基が挙げられる。該アミノ基としては、無置換アミノ基、Ｎ−メチルアミノ基、Ｎ−エチルアミノ基、Ｎ−ベンジルアミノ基。Ｎ，Ｎ−ジメチルアミノ基、Ｎ，Ｎ−ジエチルアミノ基、Ｎ−アセチルアミノ基、Ｎ−トリアジニルアミノ基等が合成の容易性、色素化合物の水溶性の点で好ましい。
【手続補正５】
【補正対象書類名】明細書
【補正対象項目名】００１６
【補正方法】変更
【補正の内容】
【００１６】
一般式（１）中のＡ１はＮ、もしくはＣＲ４を表わす。Ｒ４はＲ３と共に芳香環を形成する。該芳香環は更に置換基を有しても良い。該芳香環に置換していても良い基としては、本発明の色素化合物の水溶性や保存安定性を著しく阻害するものでなければ特に限定されるものではない。該置換基としては、スルホン酸基が好ましい。これは、色素化合物の水溶性が増加し、インクとしての安定性が向上するためである。
【手続補正６】
【補正対象書類名】明細書
【補正対象項目名】００１７
【補正方法】変更
【補正の内容】
【００１７】
一般式（１）中のＡ１がＮのとき、Ｒ３はハメットの置換基定数が負の値を示す置換基である。
【手続補正７】
【補正対象書類名】明細書
【補正対象項目名】００１９
【補正方法】変更
【補正の内容】
【００１９】
又、一般式（１）におけるＡ１がＮの場合、Ｒ３はアミノ基であることが好ましい。これは、Ｒ３がアミノ基であることで、一般式（１）で表される色素化合物を含有するインクの保存安定性が向上するためである。又、該アミノ基は置換基を有しても良く、該置換基としては、本発明の色素化合物の水溶性や保存安定性を著しく阻害するものでなければ特に限定されるものではない。例えば、メチル基、エチル基、ｎ−プロピル基、イソプロピル基、ｎ−ブチル基、イソブチル基、ｓｅｃ−ブチル基、ｔｅｒｔ−ブチル基等のアルキル基、フェニル基、ナフチル基等のアリール基、ベンジル基、フェネチル基等のアラルキル基、アセチル基、ベンゾイル基等のアシル基、メシル基、ｐ−トルエンスルホニル基、カルバモイル基、スルファモイル基、トリアジニル基、ベンゾチアゾリル基等が挙げられる。該アミノ基としては、無置換アミノ基、Ｎ−メチルアミノ基、Ｎ−エチルアミノ基、Ｎ−ベンジルアミノ基。Ｎ，Ｎ−ジメチルアミノ基、Ｎ，Ｎ−ジエチルアミノ基、Ｎ−アセチルアミノ基、Ｎ−トリアジニルアミノ基等が合成の容易性、色素化合物の水溶性の点で好ましい。
【手続補正８】
【補正対象書類名】明細書
【補正対象項目名】００２４
【補正方法】変更
【補正の内容】
【００２４】
［一般式（１’）及び一般式（１’’）で表わされる構造を有する色素化合物におけるＲ１’、Ｒ２’は、各々独立して、置換しても良いイミノ基、カルボニル基を表わす。一般式（１’）及び一般式（１’’）中のＲ１、Ｒ２、Ｒ３、Ａ１及びＣｙは、一般式（１）中のＲ１、Ｒ２、Ｒ３、Ａ１及びＣｙと同意義を有する。］
次に、本発明の一般式（１）で表される色素化合物の製造方法について以下に説明する。本発明の一般式（１）で表される色素化合物の製造方法は、下記の２工程によって製造することが好ましい。即ち、第１の工程では、下記一般式（２）で表わされる芳香族アミン化合物と下記一般式（３）で表わされる化合物を、溶媒の存在下、もしくは非存在下で縮合反応させることにより、下記一般式（４）で表わされる化合物を得る。この場合、適当な縮合剤を使用しても良い。
【手続補正９】
【補正対象書類名】明細書
【補正対象項目名】００２６
【補正方法】変更
【補正の内容】
【００２６】
［一般式（２）中、Ａ１及びＲ３は、前記一般式（１）におけるＡ１及びＲ３の場合と同意義を有する。］
【手続補正１０】
【補正対象書類名】明細書
【補正対象項目名】００２８
【補正方法】変更
【補正の内容】
【００２８】
［一般式（３）中、Ｑ１及びＱ２はそれぞれ独立にシアノ基、もしくはアルコキシカルボニル基を表わす。］
【手続補正１１】
【補正対象書類名】明細書
【補正対象項目名】００３０
【補正方法】変更
【補正の内容】
【００３０】
［一般式（４）中、Ａ１及びＲ１乃至Ｒ３は、前記一般式（１）におけるＡ１及びＲ１乃至Ｒ３の場合と同意義を有する。］
次いで行なう第２の工程は、前記第１の工程で得られた一般式（４）で表わされる化合物を、下記一般式（５）で表わされるアニリン誘導体のジアゾ成分とカップリングさせるカップリング工程である。そして、該カップリング工程により、一般式（１）で表わされる構造を有する色素化合物が製造される。
【手続補正１２】
【補正対象書類名】明細書
【補正対象項目名】００３２
【補正方法】変更
【補正の内容】
【００３２】
［一般式（５）中、Ｃｙは、前記一般式（１）におけるＣｙの場合と同意義を有する。］
本反応において、前記一般式（４）中のＲ１及びＲ２はそれぞれ、原料である一般式（３）中のＱ１及びＱ２によって決定される。即ち、Ｑ１、Ｑ２がともにアルコキシカルボニル基の場合、Ｒ１、Ｒ２はともにヒドロキシル基となり、以下、同様にして、シアノ基の場合はアミノ基となる。